(57)【要約】      （修正有）【課題】会議が行われる場所にある装置と、会議が行われる場所にない装置との間で安全な通信をより簡便に確立する。【解決手段】通信システムは、第１のネットワークの通信を制御する中継装置と、第１のネットワークに接続可能な第２の端末と、第２のネットワークに接続可能な第３の端末と、を備え、中継装置は、第２の端末と関連付けられた第３の端末を特定する端末特定情報を記憶し、中継装置特定情報と第３の端末の端末認証情報とを第２の端末に第１のネットワークを介して送信し、第３の端末から第２のネットワークを介して受信した端末認証情報を認証し、第３の端末の端末認証情報が認証された場合、第３の端末を第１のネットワークに接続し、第２の端末は中継装置特定情報と端末認証情報とを第２のネットワークを介して第３の端末に送信し、第３の端末は中継装置特定情報により特定された中継装置に端末認証情報を第２のネットワークを介して送信する。【選択図】図１
2017033538.tif 000002
【特許請求の範囲】
【請求項１】
第１のネットワークの通信を制御する中継装置と、
前記第１のネットワークに接続された１以上の第１の端末と、
前記第１のネットワークに接続可能な第２の端末と、
第２のネットワークに接続可能な第３の端末と、を備え、
前記中継装置は、
前記第２の端末と関連付けられた第３の端末を特定する端末特定情報を記憶する記憶部と、
前記中継装置を特定する中継装置特定情報と、前記第３の端末の端末認証情報と、を前記第２の端末に前記第１のネットワークを介して送信する送信部と、
前記第３の端末から前記第２のネットワークを介して受信した前記端末認証情報を認証する認証制御部と、
前記認証制御部によって前記端末認証情報が認証された場合、前記第３の端末を前記第１のネットワークに接続する第１の通信制御部と、を備え、
前記第２の端末は、
前記中継装置から前記中継装置特定情報と前記端末認証情報とを受信した場合、前記中継装置特定情報と前記端末認証情報とを前記第２のネットワークを介して前記第３の端末に送信する第２の通信制御部を備え、
前記第３の端末は、
前記中継装置特定情報により特定された前記中継装置に、前記端末認証情報を前記第２のネットワークを介して送信する第３の通信制御部、
を備える通信システム。
【請求項２】
前記第１の通信制御部は、第２の端末が第１のネットワークの通信範囲内にあるか否かを確認する問合せを定期的に送信し、前記第２の端末から前記問合せの応答を所定の時間内に受信しなかった場合、前記中継装置と前記第３の端末との間の通信を切断する、
請求項１に記載の通信システム。
【請求項３】
前記第１の通信制御部は、前記認証制御部によって前記第２の端末から前記第２のネットワークを介して受信した前記端末認証情報が認証された場合、前記第２の端末を介して、前記第３の端末を前記第１のネットワークに接続し、
前記第２の通信制御部は、前記中継装置から前記中継装置特定情報と前記端末認証情報とを受信した場合、前記中継装置特定情報と前記端末認証情報とを前記第２のネットワークを介して前記第３の端末に送信し、前記第３の端末から前記端末認証情報を受信した場合、前記端末認証情報を前記中継装置に送信する、
を備える請求項１に記載の通信システム。
【請求項４】
前記第２の通信制御部は、前記第３の端末から前記第１の端末を宛先とした情報を受信し、前記第１の端末を宛先とした情報を所定の時間内に前記中継装置に送信できなかった場合、前記第２の端末を介した前記中継装置と前記第３の端末との間の通信を切断する、
請求項３に記載の通信システム。
【請求項５】
前記第２の通信制御部は、前記中継装置から前記中継装置特定情報と前記端末認証情報とを受信した場合、前記第２の端末が、前記第１のネットワークと、前記第２のネットワークと、に同時に接続できるか否かを判定し、前記第２の端末が、前記第１のネットワークと、前記第２のネットワークと、に同時に接続できる場合、前記中継装置と前記第３の端末とを前記第２の端末を介して接続する間接方式を示す通信方式情報を、前記中継装置特定情報と前記端末認証情報とともに前記第３の端末に送信し、前記第２の端末が、前記第１のネットワークと、前記第２のネットワークと、に同時に接続できない場合、前記中継装置と前記第３の端末とを前記第２の端末を介さずに接続する直接方式を示す通信方式情報を、前記中継装置特定情報と前記端末認証情報とともに前記第３の端末に送信し、
前記第３の通信制御部は、前記中継装置特定情報により特定された前記中継装置に、前記端末認証情報を、前記第２のネットワークを介して、前記通信方式情報により示される通信方式で送信する、
請求項１に記載の通信システム。
【請求項６】
前記送信部は、前記中継装置特定情報と前記端末認証情報とを無線通信により前記第２の端末に送信し、
前記第２の端末は、前記中継装置特定情報と前記端末認証情報とを無線通信により受信する無線通信制御部を更に備える、
請求項１に記載の通信システム。
【請求項７】
前記認証制御部は、前記中継装置特定情報と前記端末認証情報とを含むコード情報を表示し、
前記第２の端末は、前記コード情報を撮像する撮像部を更に備える、
請求項１に記載の通信システム。
【請求項８】
１以上の第１の端末と、第２の端末と接続可能な第１のネットワークと、第３の端末と接続可能な第２のネットワークとの通信を制御する中継装置であって、
前記第２の端末と関連付けられた第３の端末を特定する端末特定情報を記憶する記憶部と、
前記中継装置を特定する中継装置特定情報と、前記第３の端末の端末認証情報と、を前記第２の端末に前記第１のネットワークを介して送信する送信部と、
前記第２の端末によって前記第２のネットワークを介して前記第３の端末に送信された前記端末認証情報を前記第３の端末から前記第２のネットワークを介して受信した場合、前記端末認証情報を認証する認証制御部と、
前記認証制御部によって前記端末認証情報が認証された場合、前記第３の端末を前記第１のネットワークに接続する第１の通信制御部と、
を備える中継装置。
【請求項９】
前記第１の通信制御部は、第２の端末が第１のネットワークの通信範囲内にあるか否かを確認する問合せを定期的に送信し、前記第２の端末から前記問合せの応答を所定の時間内に受信しなかった場合、前記中継装置と前記第３の端末との間の通信を切断する、
請求項８に記載の中継装置。
【請求項１０】
前記第１の通信制御部は、前記認証制御部によって前記第２の端末から前記第２のネットワークを介して受信した前記端末認証情報が認証された場合、前記第２の端末を介して、前記第３の端末を前記第１のネットワークに接続する、
請求項８に記載の中継装置。
【請求項１１】
前記送信部は、前記中継装置特定情報と前記端末認証情報とを無線通信により前記第２の端末に送信する、
請求項８に記載の中継装置。
【請求項１２】
前記認証制御部は、前記中継装置特定情報と前記端末認証情報とを含むコード情報を表示する、
請求項８に記載の中継装置。
【請求項１３】
１以上の内部端末が接続された第１のネットワークの通信を制御し、外部端末と接続可能な第２のネットワークの通信を制御する中継装置と前記第１のネットワークを介して接続可能な情報処理装置であって、
前記中継装置から前記中継装置を特定する中継装置特定情報と前記外部端末の端末認証情報とを前記第１のネットワークを介して受信した場合、前記中継装置特定情報と前記端末認証情報とを前記第２のネットワークを介して前記外部端末に送信する第１の送信部と、
前記第１の送信部によって送信された前記端末認証情報を前記外部端末から前記第２のネットワークを介して受信した場合、前記端末認証情報を前記中継装置に前記第１のネットワークを介して送信する第２の送信部と、
前記中継装置から前記中継装置特定情報と前記端末認証情報とを受信した場合、前記情報処理装置が、前記第１のネットワークと、前記第２のネットワークと、に同時に接続できるか否かを判定する判定部とを備え、
前記第１の送信部は、
前記判定部によって、前記情報処理装置が、前記第１のネットワークと、前記第２のネットワークと、に同時に接続できると判定された場合、前記中継装置と前記外部端末とを前記情報処理装置を介して接続する間接方式を示す通信方式情報を、前記中継装置特定情報と前記端末認証情報とともに前記外部端末に送信し、前記判定部によって、前記情報処理装置が、前記第１のネットワークと、前記第２のネットワークと、に同時に接続できないと判定された場合、前記中継装置と前記外部端末とを前記情報処理装置を介さずに接続する直接方式を示す通信方式情報を、前記中継装置特定情報と前記端末認証情報とともに前記外部端末に送信する、
情報処理装置。
【請求項１４】
前記外部端末から前記内部端末を宛先とした情報を受信し、前記内部端末を宛先とした情報を所定の時間内に前記中継装置に送信できなかった場合、前記情報処理装置を介した前記中継装置と前記外部端末との間の通信を切断する通信制御部を更に備える、
請求項１３に記載の情報処理装置。
【請求項１５】
前記中継装置特定情報と前記端末認証情報とを無線通信により受信する無線通信制御部を更に備える、
請求項１３に記載の情報処理装置。
【請求項１６】
前記中継装置によって表示された前記中継装置特定情報と前記端末認証情報とを含むコード情報を撮像する撮像部を更に備える、
請求項１３に記載の情報処理装置。
【請求項１７】
第１のネットワークの通信を制御する中継装置と、
前記第１のネットワークに接続された１以上の第１の端末と、
前記第１のネットワークに接続可能な第２の端末と、
第２のネットワークに接続可能な第３の端末と、を備える通信システムにおける通信制御方法であって、
前記中継装置は、前記第２の端末と関連付けられた第３の端末を特定する端末特定情報を記憶し、
前記中継装置は、前記中継装置を特定する中継装置特定情報と、前記第３の端末の端末認証情報と、を前記第２の端末に前記第１のネットワークを介して送信し、
前記第２の端末は、前記中継装置から前記中継装置特定情報と前記端末認証情報とを受信し、前記中継装置特定情報と前記端末認証情報とを前記第２のネットワークを介して前記第３の端末に送信し、
前記第３の端末は、前記中継装置特定情報により特定された前記中継装置に、前記端末認証情報を前記第２のネットワークを介して送信し、
前記中継装置は、前記第３の端末から前記第２のネットワークを介して受信した前記端末認証情報を認証し、前記端末認証情報が認証された場合、前記第３の端末を前記第１のネットワークに接続する、
通信制御方法。
【請求項１８】
１以上の第１の端末と、第２の端末と接続可能な第１のネットワークと、第３の端末と接続可能な第２のネットワークとの通信を制御する中継装置に、
前記第２の端末と関連付けられた第３の端末を特定する端末特定情報を記憶する処理と、
前記中継装置を特定する中継装置特定情報と、前記第３の端末の端末認証情報と、を前記第２の端末に前記第１のネットワークを介して送信する処理と、
前記第２の端末によって前記第２のネットワークを介して前記第３の端末に送信された前記端末認証情報を前記第３の端末から前記第２のネットワークを介して受信した場合、前記端末認証情報を認証する処理と、
前記端末認証情報が認証された場合、前記第３の端末を前記第１のネットワークに接続する処理と、
を実行させるためのプログラム。
【請求項１９】
１以上の内部端末が接続された第１のネットワークの通信を制御し、外部端末と接続可能な第２のネットワークの通信を制御する中継装置と前記第１のネットワークを介して接続可能な情報処理装置に、
前記中継装置から前記中継装置を特定する中継装置特定情報と前記外部端末の端末認証情報とを前記第１のネットワークを介して受信した場合、前記中継装置特定情報と前記端末認証情報とを前記第２のネットワークを介して前記外部端末に送信する処理と、
前記送信する処理によって送信された前記端末認証情報を前記外部端末から前記第２のネットワークを介して受信した場合、前記端末認証情報を前記中継装置に前記第１のネットワークを介して送信する処理と、
前記中継装置から前記中継装置特定情報と前記端末認証情報とを受信した場合、前記情報処理装置が、前記第１のネットワークと、前記第２のネットワークと、に同時に接続できるか否かを判定する処理と、
前記情報処理装置が、前記第１のネットワークと、前記第２のネットワークと、に同時に接続できると判定された場合、前記中継装置と前記外部端末とを前記情報処理装置を介して接続する間接方式を示す通信方式情報を、前記中継装置特定情報と前記端末認証情報とともに前記外部端末に送信し、前記情報処理装置が、前記第１のネットワークと、前記第２のネットワークと、に同時に接続できないと判定された場合、前記中継装置と前記外部端末とを前記情報処理装置を介さずに接続する直接方式を示す通信方式情報を、前記中継装置特定情報と前記端末認証情報とともに前記外部端末に送信する処理と、
を実行させるためのプログラム。
【発明の詳細な説明】
【技術分野】
【０００１】
本発明は通信システム、中継装置、情報処理装置、通信制御方法及びプログラムに関する。
【背景技術】
【０００２】
スマートデバイス及びパーソナルコンピュータ等の装置と、ＭＦＰ（Ｍｕｌｔｉｆｕｎｃｔｉｏｎ  Ｐｅｒｉｐｈｅｒａｌ）、プリンタ、プロジェクタ及び電子ホワイトボード等のオフィス機器とを接続し、限られた装置の間で安全に会議を行うことができる会議システムが、従来から知られている。
【０００３】
特許文献１には、会議主催者が会議記録を発行し、参加者が会議記録のリストから参加する会議を探すことで必要な会議に参加することができるピアツーピア・ネットワークを介して行われる会議の参加方法に係る発明が開示されている。
【発明の概要】
【発明が解決しようとする課題】
【０００４】
しかしながら従来の技術では、会議が行われる場所にある装置と、在宅勤務者の装置等の会議が行われる場所にない装置との間で安全な通信をより簡便に確立することができなかった。
【０００５】
本発明は、上記に鑑みてなされたものであって、会議が行われる場所にある装置と、在宅勤務者の装置等の会議が行われる場所にない装置との間で安全な通信をより簡便に確立することができる通信システムを提供することを目的とする。
【課題を解決するための手段】
【０００６】
上述した課題を解決し、目的を達成するために、本発明は、第１のネットワークの通信を制御する中継装置と、前記第１のネットワークに接続された１以上の第１の端末と、前記第１のネットワークに接続可能な第２の端末と、第２のネットワークに接続可能な第３の端末と、を備え、前記中継装置は、前記第２の端末と関連付けられた第３の端末を特定する端末特定情報を記憶する記憶部と、前記中継装置を特定する中継装置特定情報と、前記第３の端末の端末認証情報と、を前記第２の端末に前記第１のネットワークを介して送信する送信部と、前記第３の端末から第２のネットワークを介して受信した前記端末認証情報を認証する認証制御部と、前記認証制御部によって前記端末認証情報が認証された場合、前記第３の端末を前記第１のネットワークに接続する第１の通信制御部と、を備え、前記第２の端末は、前記中継装置から前記中継装置特定情報と前記端末認証情報とを受信した場合、前記中継装置特定情報と前記端末認証情報とを前記第２のネットワークを介して前記第３の端末に送信する第２の通信制御部を備え、前記第３の端末は、前記中継装置特定情報により特定された前記中継装置に、前記端末認証情報を前記第２のネットワークを介して送信する第３の通信制御部、を備える。
【発明の効果】
【０００７】
本発明によれば、会議が行われる場所にある装置と、会議が行われる場所にない装置との間で安全な通信をより簡便に確立することができるという効果を奏する。
【図面の簡単な説明】
【０００８】
【図１】図１は実施形態の通信システムの装置構成の例を示す図である。
【図２】図２は実施形態の第１の端末の機能構成の例を示す図である。
【図３】図３は実施形態の第２の端末の機能構成の例を示す図である。
【図４】図４は実施形態の第３の端末の機能構成の例を示す図である。
【図５】図５は実施形態の中継装置の機能構成の例を示す図である。
【図６】図６は実施形態の通信方式の決定処理の例を示すシーケンス図である。
【図７】図７は実施形態の通信方式の決定処理の例を示すフローチャートである。
【図８】図８は実施形態の通信方法の例（直接方式）を示すシーケンス図である。
【図９】図９は実施形態の通信方法の例（間接方式）を示すシーケンス図である。
【図１０】図１０は実施形態の第１の端末及び第３の端末のハードウェア構成の例を示す図である。
【図１１】図１１は実施形態の第２の端末のハードウェア構成の例を示す図である。
【図１２】図１２は実施形態の中継装置のハードウェア構成の例を示す図である。
【発明を実施するための形態】
【０００９】
以下に添付図面を参照して、通信システム、中継装置、情報処理装置、通信制御方法及びプログラムの実施形態を詳細に説明する。
【００１０】
はじめに実施形態の通信システムの構成の例について説明する。
【００１１】
図１は実施形態の通信システム１００の装置構成の例を示す図である。実施形態の通信システム１００は、第１の端末１０ａ、第１の端末１０ｂ、第２の端末２０、第３の端末３０、中継装置４０、ＩＷＢ（Ｉｎｔｅｒａｃｔｉｖｅ  Ｗｈｉｔｅｂｏａｒｄ）５０、プロジェクタ６０、ＭＦＰ（Ｍｕｌｔｉｆｕｎｃｔｉｏｎ  Ｐｅｒｉｐｈｅｒａｌ）７０及びサーバ装置８０を備える。
【００１２】
第１の端末１０ａ、第１の端末１０ｂ、第２の端末２０、中継装置４０、ＩＷＢ５０、プロジェクタ６０及びＭＦＰ７０は、第１のエリア２１０にある。第１のエリア２１０は、例えば会社の会議室である。第３の端末３０は、第２のエリア２２０にある。第２のエリア２２０は、例えば第３の端末３０のユーザの自宅である。
【００１３】
第１の端末１０ａ、第１の端末１０ｂ、第２の端末２０、中継装置４０、ＩＷＢ５０、プロジェクタ６０及びＭＦＰ７０は、第１のネットワーク１１０を介して接続される。
【００１４】
第１のネットワーク１１０の通信は、中継装置４０により制御される。第１のネットワーク１１０の通信方式は、有線方式でも無線方式でもよい。実施形態の説明では、第１のネットワーク１１０が無線ＬＡＮである場合について説明する。
【００１５】
第２の端末２０及び第３の端末３０は、第２のネットワーク１２０を介して接続される。またサーバ装置８０は、第２のネットワーク１２０内に設置される。第２のネットワーク１２０の通信方式は、有線方式でも無線方式でもよい。第２のネットワーク１２０は、例えば光回線及び携帯電話網等である。
【００１６】
第１の端末１０ａ及び第１の端末１０ｂは、第１のエリア２１０にいるユーザに使用される内部端末である。第１の端末１０ａ及び第１の端末１０ｂは、例えばパーソナルコンピュータ、タブレット型端末及びスマートフォン等である。以下、第１の端末１０ａ及び第１の端末１０ｂを区別しない場合は、単に第１の端末１０という。なお第１の端末１０の数は２台に限られず、任意でよい。
【００１７】
第２の端末２０は、中継装置４０と同じエリアにある場合に、中継装置４０と情報の送受信が可能な情報処理装置である。情報の送受信は、第１のネットワーク１１０（無線ＬＡＮ）、近距離無線通信、及び、コード情報の読取により行われる。近距離無線通信の通信方式は任意でよい。近距離無線通信の通信方式は、例えばＮＦＣ（Ｎｅａｒ  Ｆｉｅｌｄ  Ｃｏｍｍｕｎｉｃａｔｉｏｎ）及びＢＬＥ（Ｂｌｕｅｔｏｏｔｈ（登録商標）  Ｌｏｗ  Ｅｎｅｒｇｙ）等である。第２の端末２０は、例えばタブレット型端末及びスマートフォン等である。またコード情報は中継装置４０の液晶パネル等に表示される。コード情報は、例えばＱＲコード（登録商標）である。
【００１８】
第３の端末３０は、第２のエリア２２０にいるユーザに使用される外部端末である。第３の端末３０は、例えばパーソナルコンピュータ、タブレット型端末及びスマートフォン等である。第３の端末３０は、中継装置４０と通信することにより、第１のネットワーク１１０に接続する。以下、第３の端末３０が、第２の端末２０を介して中継装置４０と通信する通信方式を直接方式という。また、第３の端末３０が、第２の端末２０を介さずに中継装置４０と通信する通信方式を間接方式という。
【００１９】
中継装置４０は、第１のネットワーク１１０の通信を制御する装置である。第１のネットワーク１１０の通信方式が無線方式の場合、中継装置４０は、例えば無線ＬＡＮルータである。なお中継装置４０は、会議システムを実現するサーバ機能を有する装置でもよい。この場合、中継装置４０は、例えば会議を特定する会議番号等の記憶も行う。
【００２０】
ＩＷＢ５０は、情報の表示、及び、情報の書込みが可能な電子ホワイトボードである。プロジェクタ６０は、第１の端末１０等から入力された情報を投影する装置である。ＭＦＰ７０は、コピー機能、印刷機能、スキャナ機能及びＦＡＸ機能等を有する装置である。
【００２１】
サーバ装置８０は、第２の端末２０と第３の端末３０との間の情報の送受信、及び、中継装置４０と第３の端末３０との間の情報の送受信を行う装置である。サーバ装置８０は、例えばメールサーバ機能及びファイルサーバ機能等を有する。サーバ装置８０を、ファイルサーバとして利用する場合、サーバ装置８０上で情報のアップロード及びダウンロードを行うことにより、よりセキュアな通信を実現することができる。
【００２２】
次に実施形態の第１の端末１０の構成の例について説明する。
【００２３】
図２は実施形態の第１の端末１０の機能構成の例を示す図である。実施形態の第１の端末１０は、記憶部１１、通信制御部１２、表示制御部１３、入力制御部１４、音声入力制御部１５、音声出力制御部１６及び撮像部１７を備える。
【００２４】
記憶部１１は情報を記憶する。記憶部１１に記憶される情報は、例えば会議資料情報である。会議資料情報は、例えばプレゼンテーションソフト、文書作成ソフト及び表計算ソフト等により作成された情報である。
【００２５】
通信制御部１２は、第１のネットワーク１１０に接続された他の装置との通信を制御する。表示制御部１３は液晶ディスプレイ等に表示される情報の制御を行う。入力制御部１４は液晶タッチパネル等から入力された情報の制御を行う。音声入力制御部１５はマイク等から入力された音声情報の制御を行う。音声出力制御部１６は音声情報の出力を制御する。撮像部１７は静止画及び動画を撮像する。
【００２６】
次に実施形態の第２の端末２０の構成の例について説明する。
【００２７】
図３は実施形態の第２の端末２０の機能構成の例を示す図である。実施形態の第２の端末２０は、記憶部２１、通信制御部２２、表示制御部２３、入力制御部２４、近距離無線通信制御部２５及び撮像部２６を備える。
【００２８】
記憶部２１は情報を記憶する。記憶部２１に記憶される情報は、例えば中継装置特定情報、端末認証情報及びメールアドレス等である。
【００２９】
中継装置特定情報は中継装置４０を特定する情報である。中継装置特定情報は、例えばＩＰアドレス及びＦＱＤＮ（Ｆｕｌｌｙ  Ｑｕａｌｉｆｉｅｄ  Ｄｏｍａｉｎ  Ｎａｍｅ）名等である。なお中継装置４０が、会議システムを実現するサーバ機能を有する場合、中継装置特定情報として更に会議番号等を加えてもよい。
【００３０】
端末認証情報は第３の端末３０が第１のネットワーク１１０に接続するときに、第３の端末３０の認証に使用される情報である。端末認証情報は、例えばＩＤ及びパスワードの組み合わせ等である。メールアドレスは、第３の端末３０で使用されている電子メールのアドレスである。
【００３１】
通信制御部２２は、第１のネットワーク１１０に接続された他の装置との通信を制御する。また通信制御部２２は第２のネットワーク１２０に接続された第３の端末３０との通信を制御する。また通信制御部２２は、第３の端末３０と中継装置４０との間の通信方式を、上述の直接方式、又は、上述の間接方式に決定する。
【００３２】
通信制御部２２は、例えば中継装置認証情報、端末認証情報、及び、通信方式情報を含む電子メールを、第２のネットワーク１２０を介して第３の端末３０に送信する。通信方式情報は直接方式又は間接方式を示す。なお通信制御部２２は、中継装置認証情報、端末認証情報及び通信方式情報を、第２のネットワーク１２０上のサーバ装置８０のファイルサーバ機能を利用して第３の端末３０に送信してもよい。
【００３３】
表示制御部２３は液晶パネル等に表示される情報の制御を行う。入力制御部２４は液晶タッチパネル等から入力された情報の制御を行う。近距離無線通信制御部２５は、ＮＦＣ及びＢＬＥ等の近距離無線通信により、中継装置４０から中継装置特定情報及び端末認証情報を受信する。撮像部２６は静止画及び動画を撮像する。動画は、例えば会議中の第１のエリア２１０を示す動画である。静止画は、例えば中継装置４０の液晶パネルに表示されたコード情報を示す画像である。
【００３４】
次に実施形態の第３の端末３０の構成の例について説明する。
【００３５】
図４は実施形態の第３の端末３０の機能構成の例を示す図である。実施形態の第３の端末３０は、記憶部３１、通信制御部３２、表示制御部３３、入力制御部３４、音声入力制御部３５、音声出力制御部３６及び撮像部３７を備える。
【００３６】
記憶部３１は情報を記憶する。記憶部３１に記憶される情報は、例えば上述の会議資料情報、上述の中継装置特定情報、及び、上述の端末特定情報等である。
【００３７】
通信制御部３２は、第２のネットワーク１２０に接続された第２の端末２０との通信を制御する。通信制御部３２は、例えば第２の端末２０から第２のネットワーク１２０を介して、上述の中継装置認証情報、上述の端末認証情報、及び、上述の通信方式情報を受信する。通信制御部３２は、中継装置特定情報により特定された中継装置４０に、端末認証情報を、第２のネットワーク１２０を介して、通信方式情報により示される通信方式で送信する。通信制御部３２は、通信方式情報が間接方式の場合、例えば第２の端末２０と第３の端末３０との間で予めペアリング設定された通信アプリケーションにより、第２の端末２０とＰ２Ｐ（ピアツーピア）通信を行う。
【００３８】
表示制御部３３は液晶ディスプレイ等に表示される情報の制御を行う。入力制御部３４は液晶タッチパネル等から入力された情報の制御を行う。音声入力制御部３５はマイク等から入力された音声情報の制御を行う。音声出力制御部３６は音声情報の出力を制御する。撮像部３７は静止画及び動画を撮像する。
【００３９】
次に実施形態の中継装置４０の構成の例について説明する。
【００４０】
図５は実施形態の中継装置４０の機能構成の例を示す図である。実施形態の中継装置４０は、記憶部４１、通信制御部４２及び認証制御部４３を備える。認証制御部４３は、近距離無線通信制御部４４、表示制御部４５及び認証部４６を備える。
【００４１】
記憶部４１は情報を記憶する。記憶部４１に記憶される情報は、例えば端末特定情報、及び、上述の中継装置特定情報等である。
【００４２】
表１は実施形態の端末特定情報の例を示す表である。
【００４３】
【表１】
2017033538.tif 000003
【００４４】
実施形態の端末特定情報は、第２の端末名、第３の端末名、メールアドレス、ＩＰアドレス、ＩＤ及びパスワードを含む。第２の端末名は、第２の端末２０の名称である。第３の端末名は、第２の端末２０に関連付けられた第３の端末３０の名称である。メールアドレスは、第３の端末３０で使用されている電子メールのアドレスである。ＩＰアドレスは、第３の端末３０のＩＰアドレスである。
【００４５】
ＩＤは、第３の端末３０が第１のネットワーク１１０に接続する際に使用される識別情報である。パスワードは、第３の端末３０が第１のネットワーク１１０に接続する際に使用されるパスワードである。パスワードは、例えば発行から一定時間の間だけ有効なワンタイムパスワードである。ＩＤ及びパスワードの組み合わせが、上述の端末認証情報として使用される。
【００４６】
通信制御部４２は、第１のネットワーク１１０に接続された他の装置との通信を制御する。また通信制御部４２は、認証部４６により第３の端末３０が認証された場合、第２のネットワーク１２０に接続された第３の端末３０と、第１のネットワーク１１０に接続された装置との通信を制御する。
【００４７】
近距離無線通信制御部４４は、ＮＦＣ及びＢＬＥ等の近距離無線通信により、上述の中継装置特定情報、及び、上述の端末認証情報を第２の端末２０に送信する。
【００４８】
表示制御部４５はコード情報を液晶パネル等に表示する制御を行う。コード情報は、上述の中継装置特定情報、及び、上述の端末特定情報を含む。コード情報の形式は任意でよい。コード情報は、例えばＱＲコード（登録商標）である。
【００４９】
認証部４６は第３の端末３０から第２のネットワーク１２０を介して受信した端末認証情報を認証する。
【００５０】
次に実施形態の通信方法の例について説明する。
【００５１】
図６は実施形態の通信方式の決定処理の例を示すシーケンス図である。はじめに、第２の端末２０が、上述の中継装置特定情報、及び、上述の端末認証情報を取得する取得要求を、中継装置４０に送信する（ステップＳ１）。このとき、第２の端末２０は、上述の端末特定情報（表１参照）の第２の端末名、第３の端末名、メールアドレス及びＩＰアドレスとして中継装置４０に記憶される情報を中継装置４０に送信する。
【００５２】
次に、中継装置４０が、上述の中継装置特定情報、及び、上述の端末認証情報を第２の端末２０に送信する（ステップＳ２）。端末認証情報は、例えばＩＤ及びパスワードである。
【００５３】
ステップＳ１及びステップＳ２の処理は、ＮＦＣ及びＢＬＥ等の近距離無線通信により行われる。なお第２の端末名、第３の端末名、メールアドレス及びＩＰアドレスが、中継装置４０に既に記憶されている場合は、中継装置４０が端末認証情報を含むコード情報を表示し、第２の端末２０が当該コード情報を読み取ることにより、第２の端末２０が端末認証情報を中継装置４０から取得してもよい。
【００５４】
次に、第２の端末２０が、第３の端末３０と中継装置４０との間の通信方式を決定する（ステップＳ３）。ステップＳ３の通信方式を決定する処理の例は、図７を参照して後述する。
【００５５】
次に、第２の端末２０が、第２のネットワーク１２０を介して、中継装置特定情報、端末認証情報、及び、通信方式情報（直接方式又は間接方式）を含む電子メールを第３の端末３０に送信する（ステップＳ４）。
【００５６】
次に通信方式を決定する処理（ステップＳ３）の例について説明する。
【００５７】
図７は実施形態の通信方式の決定処理の例を示すフローチャートである。はじめに、第２の端末２０の通信制御部２２が、第３の端末３０及び中継装置４０に同時に接続可能か否かを判定する（ステップＳ１１）。同時に接続できない場合（ステップＳ１１、Ｎｏ）、通信制御部２２が、第３の端末３０と中継装置４０との間の通信方式を直接方式に決定する（ステップＳ１２）。同時に接続できない場合は、例えば第２の端末２０がスマートフォンであり、第１のネットワーク１１０が、Ｗｉ−Ｆｉ（登録商標）であり、第２のネットワーク１２０が携帯電話網である場合等である。
【００５８】
同時に接続できる場合（ステップＳ１１、Ｙｅｓ）、通信制御部２２が、第３の端末３０と中継装置４０との間の通信方式を間接方式に決定する（ステップＳ１３）。同時に接続できる場合は、例えば第２の端末２０が中継装置４０と有線接続され、第２のネットワーク１２０が携帯電話網である場合等である。
【００５９】
次に実施形態の直接方式の通信方法の例について説明する。
【００６０】
図８は実施形態の通信方法の例（直接方式）を示すシーケンス図である。はじめに、第２の端末２０が、第１のネットワーク１１０の通信範囲内に配置される（ステップＳ２１）。次に、第３の端末３０が、第２のネットワーク１２０を介して端末認証情報を中継装置４０に送信する（ステップＳ２２）。端末認証情報は、例えばＩＤ及びパスワードである。
【００６１】
次に、中継装置４０が、第１のネットワーク１１０の通信範囲内に第２の端末２０があるか否かを確認する問合せを、第１のネットワーク１１０を介して第２の端末２０に送信する（ステップＳ２３）。次に、第２の端末２０が、ステップＳ２３の問合せの応答を、第１のネットワーク１１０を介して中継装置４０に送信する（ステップＳ２４）。次に、中継装置４０が、ステップＳ２２で受信した端末認証情報により第３の端末３０が認証できた場合、第１のネットワーク１１０への接続許可を示す応答を、第２のネットワーク１２０を介して第３の端末３０に送信する（ステップＳ２５）。
【００６２】
これにより第３の端末３０は、中継装置４０と第１のネットワーク１１０を介して接続された第１の端末１０、ＩＷＢ５０、プロジェクタ６０及びＭＦＰ７０等と通信が可能になる。
【００６３】
なお中継装置４０は、上述のステップＳ２３及びステップＳ２４の処理を定期的に行う。これにより中継装置４０は、第２の端末２０が第１のネットワーク１１０の通信範囲内にあるか否かを定期的に監視する。
【００６４】
次に、第２の端末２０が、第１のネットワーク１１０の通信範囲外に配置される（ステップＳ２６）。次に、中継装置４０が、第２の端末２０が第１のネットワーク１１０の通信範囲内にあるか否かを確認する問合せを、第１のネットワーク１１０を介して第２の端末２０に送信する（ステップＳ２７）。次に、中継装置４０が、ステップＳ２７で送信された問合せの応答が所定の時間内に受信できない場合、第１のネットワーク１１０への接続不可を示す通知を、第２のネットワーク１２０を介して第３の端末３０に送信することにより、通信を切断する（ステップＳ２８）。
【００６５】
これにより第３の端末３０は、中継装置４０と第１のネットワーク１１０を介して接続された第１の端末１０、ＩＷＢ５０、プロジェクタ６０及びＭＦＰ７０等と通信が不可能になる。
【００６６】
次に実施形態の間接方式の通信方法の例について説明する。
【００６７】
図９は実施形態の通信方法の例（間接方式）を示すシーケンス図である。はじめに、第２の端末２０が、第１のネットワーク１１０の通信範囲内に配置される（ステップＳ４１）。次に、第３の端末３０が、中継装置４０宛ての端末認証情報を第２のネットワーク１２０を介して第２の端末２０に送信する（ステップＳ４２）。端末認証情報は、例えばＩＤ及びパスワードである。
【００６８】
次に、第２の端末２０が、ステップＳ４２で第３の端末３０から送信された端末認証情報を、第１のネットワーク１１０を介して中継装置４０に送信する（ステップＳ４３）。次に、中継装置４０が、ステップＳ４３で受信した端末認証情報により第３の端末３０が認証できた場合、第１のネットワーク１１０への接続許可を示す応答を、第１のネットワーク１１０を介して第２の端末２０に送信する（ステップＳ４４）。次に、第２の端末２０が、ステップＳ４４で中継装置４０から送信された応答を、第２のネットワーク１２０を介して第３の端末３０に送信する（ステップＳ４５）。
【００６９】
これにより第３の端末３０は、中継装置４０と第１のネットワーク１１０を介して接続された第１の端末１０、ＩＷＢ５０、プロジェクタ６０及びＭＦＰ７０等と通信が可能になる。
【００７０】
次に、第２の端末２０が、第１のネットワーク１１０の通信範囲外に配置される（ステップＳ４６）。次に、第３の端末３０が、第１のネットワーク１１０に接続された第１の端末１０等を宛先とした任意の情報を、第２のネットワーク１２０を介して第２の端末２０に送信する（ステップＳ４７）。任意の情報は、例えば会議資料、及び、会議中の第３の端末３０のユーザを撮像した動画等である。次に、第２の端末２０が、ステップＳ４７で送信された任意の情報を所定の時間内に、第１のネットワーク１１０を介して中継装置４０に送信できない場合、第１のネットワーク１１０への接続不可を示す通知を、第２のネットワーク１２０を介して第３の端末３０に送信することにより、通信を切断する（ステップＳ４８）。
【００７１】
これにより第３の端末３０は、中継装置４０と第１のネットワーク１１０を介して接続された第１の端末１０、ＩＷＢ５０、プロジェクタ６０及びＭＦＰ７０等と通信が不可能になる。
【００７２】
最後に実施形態の第１の端末１０、第２の端末２０、第３の端末３０及び中継装置４０のハードウェア構成の例について説明する。
【００７３】
図１０は実施形態の第１の端末１０及び第３の端末３０のハードウェア構成の例を示す図である。実施形態の第１の端末１０及び第３の端末３０は、制御装置３０１、主記憶装置３０２、補助記憶装置３０３、表示装置３０４、入力装置３０５、通信装置３０６、マイク３０７、スピーカ３０８及びカメラ３０９を備える。制御装置３０１、主記憶装置３０２、補助記憶装置３０３、表示装置３０４、入力装置３０５、通信装置３０６、マイク３０７、スピーカ３０８及びカメラ３０９は、バス３１０を介して接続されている。
【００７４】
制御装置３０１は補助記憶装置３０３から主記憶装置３０２に読み出されたプログラムを実行する。主記憶装置３０２はＲＯＭ及びＲＡＭ等のメモリである。補助記憶装置３０３はメモリカード及びＳＳＤ（Ｓｏｌｉｄ  Ｓｔａｔｅ  Ｄｒｉｖｅ）等である。
【００７５】
表示装置３０４は情報を表示する。表示装置３０４は、例えば液晶ディスプレイである。入力装置３０５は、情報の入力を受け付ける。入力装置３０５は、例えばキーボード及びマウス等である。通信装置３０６は他の装置と通信する。マイク３０７は音声の入力を受け付ける。スピーカ３０８は音声を出力する。カメラ３０９は静止画及び動画を撮像する。
【００７６】
第１の端末１０及び第３の端末３０で実行されるプログラムは、インストール可能な形式又は実行可能な形式のファイルでＣＤ−ＲＯＭ、メモリカード、ＣＤ−Ｒ及びＤＶＤ（Ｄｉｇｉｔａｌ  Ｖｅｒｓａｔｉｌｅ  Ｄｉｓｋ）等のコンピュータで読み取り可能な記憶媒体に記憶されてコンピュータ・プログラム・プロダクトとして提供される。
【００７７】
また第１の端末１０及び第３の端末３０で実行されるプログラムを、インターネット等のネットワークに接続されたコンピュータ上に格納し、ネットワーク経由でダウンロードさせることにより提供するように構成してもよい。また第１の端末１０及び第３の端末３０が実行するプログラムを、ダウンロードさせずにインターネット等のネットワーク経由で提供するように構成してもよい。
【００７８】
また第１の端末１０及び第３の端末３０のプログラムを、ＲＯＭ等に予め組み込んで提供するように構成してもよい。
【００７９】
第１の端末１０及び第３の端末３０で実行されるプログラムは、上述の実施形態の第１の端末１０及び第３の端末３０の機能構成（図２及び図４参照）のうち、プログラムにより実現可能な機能を含むモジュール構成となっている。
【００８０】
プログラムにより実現される機能は、制御装置３０１が補助記憶装置３０３等の記憶媒体からプログラムを読み出して実行することにより、プログラムにより実現される機能が主記憶装置３０２にロードされる。すなわちプログラムにより実現される機能は、主記憶装置３０２上に生成される。
【００８１】
なお実施形態の第１の端末１０及び第３の端末３０の機能の一部又は全部を、ＩＣ（Ｉｎｔｅｇｒａｔｅｄ  Ｃｉｒｃｕｉｔ）等のハードウェアにより実現してもよい。
【００８２】
図１１は実施形態の第２の端末２０のハードウェア構成の例を示す図である。実施形態の第２の端末２０は、制御装置４０１、主記憶装置４０２、補助記憶装置４０３、表示装置４０４、入力装置４０５、第１の通信装置４０６、第２の通信装置４０７、ＮＦＣ通信装置４０８、Ｂｌｕｅｔｏｏｔｈ（登録商標）通信装置４０９及びカメラ４１０を備える。制御装置４０１、主記憶装置４０２、補助記憶装置４０３、表示装置４０４、入力装置４０５、第１の通信装置４０６、第２の通信装置４０７、ＮＦＣ通信装置４０８、Ｂｌｕｅｔｏｏｔｈ（登録商標）通信装置４０９及びカメラ４１０は、バス４２０を介して接続されている。
【００８３】
制御装置４０１、主記憶装置４０２及び補助記憶装置４０３の説明は、制御装置３０１、主記憶装置３０２及び補助記憶装置３０３（図１０参照）と同じなので省略する。
【００８４】
表示装置４０４及び入力装置４０５は、情報の表示機能と情報の入力機能とを有する液晶パネル等の装置である。第１の通信装置４０６は、第１のネットワーク１１０を介して通信する装置である。第１の通信装置４０６は、例えば無線ＬＡＮアダプタである。第２の通信装置４０７は、第２のネットワーク１２０を介して通信する装置である。第２の通信装置４０７は、例えば３Ｇ通信モジュールである。ＮＦＣ通信装置４０８は、ＮＦＣにより情報の送受信を行う装置である。Ｂｌｕｅｔｏｏｔｈ（登録商標）通信装置４０９は、ＢＬＥにより情報の送受信を行う装置である。カメラ４１０は静止画及び動画を撮像する。
【００８５】
第２の端末２０で実行されるプログラムは、インストール可能な形式又は実行可能な形式のファイルでＣＤ−ＲＯＭ、メモリカード、ＣＤ−Ｒ及びＤＶＤ等のコンピュータで読み取り可能な記憶媒体に記憶されてコンピュータ・プログラム・プロダクトとして提供される。
【００８６】
また第２の端末２０で実行されるプログラムを、インターネット等のネットワークに接続されたコンピュータ上に格納し、ネットワーク経由でダウンロードさせることにより提供するように構成してもよい。また第２の端末２０が実行するプログラムを、ダウンロードさせずにインターネット等のネットワーク経由で提供するように構成してもよい。
【００８７】
また第２の端末２０のプログラムを、ＲＯＭ等に予め組み込んで提供するように構成してもよい。
【００８８】
第２の端末２０で実行されるプログラムは、上述の実施形態の第２の端末２０の機能構成（図３参照）のうち、プログラムにより実現可能な機能を含むモジュール構成となっている。
【００８９】
プログラムにより実現される機能は、制御装置４０１が補助記憶装置４０３等の記憶媒体からプログラムを読み出して実行することにより、プログラムにより実現される機能が主記憶装置４０２にロードされる。すなわちプログラムにより実現される機能は、主記憶装置４０２上に生成される。
【００９０】
なお実施形態の第２の端末２０の機能の一部又は全部を、ＩＣ等のハードウェアにより実現してもよい。
【００９１】
図１２は実施形態の中継装置４０のハードウェア構成の例を示す図である。実施形態の中継装置４０は、制御装置５０１、主記憶装置５０２、補助記憶装置５０３、表示装置５０４、第１の通信装置５０５、第２の通信装置５０６、ＮＦＣ通信装置５０７及びＢｌｕｅｔｏｏｔｈ（登録商標）通信装置５０８を備える。制御装置５０１、主記憶装置５０２、補助記憶装置５０３、表示装置５０４、第１の通信装置５０５、第２の通信装置５０６、ＮＦＣ通信装置５０７及びＢｌｕｅｔｏｏｔｈ（登録商標）通信装置５０８は、バス５１０を介して接続されている。
【００９２】
制御装置５０１、主記憶装置５０２及び補助記憶装置５０３の説明は、制御装置３０１、主記憶装置３０２及び補助記憶装置３０３（図１０参照）と同じなので省略する。表示装置５０４は、情報の表示機能を有する液晶パネル等の装置である。
【００９３】
第１の通信装置５０５、第２の通信装置５０６、ＮＦＣ通信装置５０７及びＢｌｕｅｔｏｏｔｈ（登録商標）通信装置５０８の説明は、第１の通信装置４０６、第２の通信装置４０７、ＮＦＣ通信装置４０８及びＢｌｕｅｔｏｏｔｈ（登録商標）通信装置４０９（図１１参照）と同じなので省略する。
【００９４】
中継装置４０で実行されるプログラムは、インストール可能な形式又は実行可能な形式のファイルでＣＤ−ＲＯＭ、メモリカード、ＣＤ−Ｒ及びＤＶＤ等のコンピュータで読み取り可能な記憶媒体に記憶されてコンピュータ・プログラム・プロダクトとして提供される。
【００９５】
また中継装置４０で実行されるプログラムを、インターネット等のネットワークに接続されたコンピュータ上に格納し、ネットワーク経由でダウンロードさせることにより提供するように構成してもよい。また中継装置４０が実行するプログラムを、ダウンロードさせずにインターネット等のネットワーク経由で提供するように構成してもよい。
【００９６】
また中継装置４０のプログラムを、ＲＯＭ等に予め組み込んで提供するように構成してもよい。
【００９７】
中継装置４０で実行されるプログラムは、上述の実施形態の中継装置４０の機能構成（図５参照）のうち、プログラムにより実現可能な機能を含むモジュール構成となっている。
【００９８】
プログラムにより実現される機能は、制御装置５０１が補助記憶装置５０３等の記憶媒体からプログラムを読み出して実行することにより、プログラムにより実現される機能が主記憶装置５０２にロードされる。すなわちプログラムにより実現される機能は、主記憶装置５０２上に生成される。
【００９９】
なお実施形態の中継装置４０の機能の一部又は全部を、ＩＣ等のハードウェアにより実現してもよい。
【０１００】
以上説明したように、実施形態の通信システム１００では、第２の端末２０が、中継装置４０から中継装置特定情報と端末認証情報とを受信した場合、中継装置特定情報と端末認証情報とを第２のネットワーク１２０を介して第３の端末３０に送信する。そして、中継装置４０の通信制御部４２は、第３の端末３０から第２のネットワーク１２０を介して受信した端末認証情報が認証制御部４３により認証された場合、第３の端末３０を第１のネットワーク１１０に接続する。
【０１０１】
実施形態の通信システム１００によれば、第２の端末２０が中継装置４０と通信可能な範囲にある場合に、第３の端末３０が第１のネットワーク１１０に接続可能になる。これにより実施形態の通信システム１００によれば、会議が行われる場所にある装置と、在宅勤務者の装置等の会議が行われる場所にない装置との間で安全な通信をより簡便に確立することができる。
【符号の説明】
【０１０２】
１０  第１の端末
１１  記憶部
１２  通信制御部
１３  表示制御部
１４  入力制御部
１５  音声入力制御部
１６  音声出力制御部
１７  撮像部
２０  第２の端末
２１  記憶部
２２  通信制御部
２３  表示制御部
２４  入力制御部
２５  近距離無線通信制御部
２６  撮像部
３０  第３の端末
３１  記憶部
３２  通信制御部
３３  表示制御部
３４  入力制御部
３５  音声入力制御部
３６  音声出力制御部
３７  撮像部
４０  中継装置
４１  記憶部
４２  通信制御部
４３  認証制御部
４４  近距離無線通信制御部
４５  表示制御部
４６  認証部
５０  ＩＷＢ
６０  プロジェクタ
７０  ＭＦＰ
８０  サーバ装置
１００  通信システム
１１０  第１のネットワーク
１２０  第２のネットワーク
２１０  第１のエリア
２２０  第２のエリア
【先行技術文献】
【特許文献】
【０１０３】
【特許文献１】特許第４９５４２０７号公報
【図１】
2017033538.tif 000004
【図２】
2017033538.tif 000005
【図３】
2017033538.tif 000006
【図４】
2017033538.tif 000007
【図５】
2017033538.tif 000008
【図６】
2017033538.tif 000009
【図７】
2017033538.tif 000010
【図８】
2017033538.tif 000011
【図９】
2017033538.tif 000012
【図１０】
2017033538.tif 000013
【図１１】
2017033538.tif 000014
【図１２】
2017033538.tif 000015